(57)【要約】【課題】  第１部材と第２部材とを接続して構成する高周波コネクタであって、外部からの力を受けてねじりが発生しても両部材の接続が緩むことなく、かつ両部材のラインコンタクトに接触不良によるノイズの干渉が発生することのない高周波コネクタを提供するを提供する。【解決手段】  第１部材と、第２部材とを連結してなる高周波コネクタであって、該第１部材は、貫通孔を形成し、且つ該貫通孔に絶縁体を挿した接続部材の一端にジョイント部を連結し、該ジョイント部内に絶縁体を挿入してなり、  該第１部材の側面に切り欠き部を形成し、かつＬ字状ピンを挿入し、該絶縁体によって該Ｌ字状ピンを位置決めし、  該位置決めした絶縁体によって、該Ｌ字状ピンのインピーダンスの誤差を均一化し、かつ緊密に接続する長さを増加し、該ジョイント部と該接続部材が回転することを防ぐように構成する。【選択図】  図９
0003137095.tif 000002
【実用新案登録請求の範囲】
【請求項１】
第１部材と、第２部材とを連結してなる高周波コネクタであって、
該第１部材は、貫通孔を形成し、且つ該貫通孔に絶縁体を挿した接続部材の一端にジョイント部を連結し、該ジョイント部内に絶縁体を挿入してなり、
該第１部材の側面に切り欠き部を形成し、かつＬ字状ピンを挿入し、該絶縁体によって該Ｌ字状ピンを位置決めし、
該位置決めした絶縁体によって、該Ｌ字状ピンのインピーダンスの誤差を均一化し、かつ緊密に接続する長さを増加し、該ジョイント部と該接続部材が回転することを防ぐように構成することを特徴とする高周波プラグ。
【請求項２】
第１部材と、第２部材とを連結してなる高周波コネクタであって、
該第２部材は、接続部材とジョイント部とを接続して構成し、該接続部材は側面に孔部を穿設し、ピンの他端
（即ち、該孔部に近く、アンテナ線、同軸ケーブルなどが延伸する一端）に切り欠き部を形成したパッドを設け、かつアンテナ線、或いは同軸ケーブルの太さで該切り欠き部の大きさを調整し、別途ピンの作用端が貫通した接続部材の一端に小孔部を形成し、係る構成の第２部材の接続部材に対して貫通する小孔部の外部に近い一端に面取りを行い、面取りを行うことによって、該第１部材と第２部材を接続する場合に、両部材の外形のサイズが異なることによって起きるインピーダンスの誤差を均一化するように構成することを特徴とする高周波コネクタ。
【請求項３】
第１部材と、第２部材とを連結してなる高周波コネクタであって、
該第２部材の接続部材とジョイントとを連結する場合、作用端が外側に反ったＣリングを接続部材に形成した感受溝に嵌着し、両部材が接続した後安定した位置決めが得られ、外部からの引っ張る力に與よって緩んで外れることなく、かつトルク値を増加するように構成することを特徴とする高周波コネクタ。
【請求項４】
第１部材と、第２部材とを連結してなる高周波コネクタであって、
該第２部材の接続部材と９０°回転するように接続するジョイント部の接続端と方向転換端を一体に形成することを特徴とする高周波コネクタ。
【請求項５】
第１部材と、第２部材とを連結してなる高周波コネクタであって、
前記第２部材の接続部材の中空空間に挿入する絶縁体の一端に切り欠き部を形成したパッドを分離形態か、一体成型で設けることを特徴とする請求項４に記載の高周波コネクタ。
【考案の詳細な説明】
【技術分野】
【０００１】
本考案はコネクタに関し、特に情報の送受信を行う部品間を接続する場合に用いる高周波コネクタに関する。
【背景技術】
【０００２】
従来の情報の送受信用高周波コネクタは、そのほとんどが２種類の部材を接続して構成する（図１から図３参照）。その内、第１部材１０（図１参照）は、所定の方向に沿って貫通孔１０２が形成された接続部材１０１を具え、接続部材１０１の貫通孔１０２に中空の接続管１０３を挿設する。接続管１０３は、外周面にネジ山１０４を形成する。該接続部材１０１と接続管１０３とは、接続部分の周囲を溶接して接続するか、或いは緊密に嵌設して位置決めする。
【０００３】
第２部材２０（図２参照）も所定の方向に貫通孔２０２が形成された接続部材２０２を具え、貫通孔２０２には一端から中空の接続管２０３を挿設する。接続部材２０２と接続管２０３も接続部分の周囲を溶接して接続するか、或いは緊密に嵌設して位置決めする。
【０００４】
上述する第１部材１０と第２部材２０とを接続する場合は（図３、図３Ａ参照）、Ｃリング２０５を第２部材２０の延伸し形成される接続部２０４の間に形成された環状溝２０４１に嵌設する。また、第２部材２０の突起したピン２６０と、ピン２０６に対応して設けられた第１部材１０のピン１０５とを接続する。ピン１０５はピン２０６に対応する一端には凹溝を形成する。さらに、第１部材１０と第２部材２０の内部の絶縁体が互いに接触する。
【０００５】
上述する第１部材１０と第２部材２０とを接続して情報を送受信する場合、それぞれのピン（１０５、２０６）は、互いに当接した状態で接触する。よって、両部材のラインコンタクトは外部から力を受けてねじれると、途切れたり、繋がったりして、ノイズの干渉が容易に発生する。
【０００６】
第１部材１０と第２部材２０とについては、第１部材１０の対応する１０５が凹設去れた溝に挿入されるとともに、２つのコネクタ１０、２０の内部の絶縁体１０６が互いに接触する。
【０００７】
しかしながら、２つのコネクタ１０、２０が互いに接触させて情報を送受信すると、２つのコネクタのピン１０５、２０６とは互いに当接しているため、両部材の線の接触は外力で曲げられると容易に切断され、雑音が発生する。
【０００８】
また、第１部材１０と第２部材２０とを接続する場合に嵌設するＣリングは平面状の部材であるため、ある程度の期間使用すると、材質が疲労して弾性が減衰する。このため第１部材１０と第２部材２０との間の接触が容易に緩み、比較的強いトルク値に耐えられなくなる。
【考案の開示】
【考案が解決しようとする課題】
【０００９】
本考案は、第１部材と第２部材とを接続して構成する高周波コネクタであって、外部からの力を受けてねじりが発生しても両部材の接続が緩むことなく、かつ両部材のラインコンタクトに接触不良によるノイズの干渉が発生することのない高周波コネクタを提供することを課題とする。
【課題を解決するための手段】
【００１０】
そこで本考案者は、従来の技術に鑑み鋭意研究を重ねた結果、第１部材と、第２部材とを連結してなる高周波コネクタであって、  該第１部材は、貫通孔を形成し、且つ該貫通孔に絶縁体を挿した接続部材の一端にジョイント部を連結し、該ジョイント部内に絶縁体を挿入してなり、  該第１部材の側面に切り欠き部を形成し、かつＬ字状ピンを挿入し、該絶縁体によって該Ｌ字状ピンを位置決めし、  該位置決めした絶縁体によって、該Ｌ字状ピンのインピーダンスの誤差を均一化し、かつ緊密に接続する長さを増加し、該ジョイント部と該接続部材が回転することを防ぐように構成した高周波プラグの構造とによって課題を解決できる点に着眼し、係る知見に基づき本考案を完成させた。
以下、本考案について具体的に説明する。
【００１１】
請求項１に記載する高周波プラグは、第１部材と、第２部材とを連結してなる高周波コネクタであって、
該第１部材は、貫通孔を形成し、且つ該貫通孔に絶縁体を挿した接続部材の一端にジョイント部を連結し、該ジョイント部内に絶縁体を挿入してなり、
該第１部材の側面に切り欠き部を形成し、かつＬ字状ピンを挿入し、該絶縁体によって該Ｌ字状ピンを位置決めし、
該位置決めした絶縁体によって、該Ｌ字状ピンのインピーダンスの誤差を均一化し、かつ緊密に接続する長さを増加し、該ジョイント部と該接続部材が回転することを防ぐように構成する。
【００１２】
請求項２に記載する高周波プラグは、第１部材と、第２部材とを連結してなる高周波コネクタであって、
該第２部材は、接続部材とジョイント部とを接続して構成し、該接続部材は側面に孔部を穿設し、ピンの他端
（即ち、該孔部に近く、アンテナ線、同軸ケーブルなどが延伸する一端）に切り欠き部を形成したパッドを設け、かつアンテナ線、或いは同軸ケーブルの太さで該切り欠き部の大きさを調整し、別途ピンの作用端が貫通した接続部材の一端に小孔部を形成し、係る構成の第２部材の接続部材に対して貫通する小孔部の外部に近い一端に面取りを行い、面取りを行うことによって、該第１部材と第２部材を接続する場合に、両部材の外形のサイズが異なることによって起きるインピーダンスの誤差を均一化するように構成する。
【００１３】
請求項３に記載する高周波コネクタは、第１部材と、第２部材とを連結してなる高周波コネクタであって、
該第２部材の接続部材とジョイントとを連結する場合、作用端が外側に反ったＣリングを接続部材に形成した感受溝に嵌着し、両部材が接続した後安定した位置決めが得られ、外部からの引っ張る力に與よって緩んで外れることなく、かつトルク値を増加するように構成する。
【００１４】
請求項４に記載する高周波プラグは、第１部材と、第２部材とを連結してなる高周波コネクタであって、
該第２部材の接続部材と９０°回転するように接続するジョイント部の接続端と方向転換端を一体に形成する。
【００１５】
請求項５に記載する高周波コネクタは、第１部材と、第２部材とを連結してなる高周波コネクタであって、
請求項４における第２部材の接続部材の中空空間に挿入する絶縁体の一端に切り欠き部を形成したパッドを分離形態か、一体成型で設ける。
【考案の効果】
【００１６】
本考案による高周波コネクタは、外部からの力を受けてねじりが発生してもコネクタを構成する両部材の接続が緩むことなく、かつ両部材のラインコンタクトに接触不良によるノイズの干渉が発生することがないという利点を有し、さらに、その使用態様を使用状況に合わせて選択的に変化させることができるという利便性を有する。
【考案を実施するための最良の形態】
【００１７】
本考案による高周波コネクタは、図８、９に開示するように、第１部材４と、第２部材９とによって構成する。
【００１８】
第１部材４は（図４、図５参照）接続部材１とジョイント部２とによって構成する。接続部材１には貫通孔１１を形成し、貫通孔１１に絶縁体４１を挿入する。また、接続部材１の側面に切り欠き部１２を形成する。切り欠き部１２を形成することによって、接続部材１とジョイント部２とが連結する長さを調整して長くすることができる。また、Ｌ字状ピン３を絶縁体４１に形成した貫通孔４１１に挿入する。９０°に曲がったＬ字状ピン３は一端が絶縁体４１に挿入され、他端が切り欠き部１２からジョイント部２の水平部２１内に延伸するように設ける。係る構成によって、接続部材１とジョイント部２とを接続した場合、ジョイント部２の回転する動きが制限される。
【００１９】
接続部材１には絶縁体４１を挿入するとともに、Ｌ字状ピン３を挿入してから上端に位置決め絶縁体４２を嵌設する。また、ジョイント部２の水平部２１には貫通孔を形成した絶縁体４３を挿入する。ジョイント部２の水平部２１内に延伸するＬ字状ピン３の一端は、絶縁体４３の貫通孔に挿入される。位置決め絶縁体２４は、インピーダンスの誤差を均一化する作用を有する。
【００２０】
上述の構成による第１部材４は、接続部材１が下方に向かって形成される複数のピン１３を具える形式とするか、或いはジョイント部２が水平方向に形成される複数のピン１３を具える形式としてもよい。いずれの形式であろうと、接続部材１の側面に切り欠き部１２を形成することによって、接続部材１とジョイント部２とが９０°になるように構成することができる。また、接続部材１とジョイント部２とが１８０°になるように構成することもできる。（実施例においては、下方に向かって形成される複数のピン１３を具える接続部材１を例として説明する）
【００２１】
第２部材９は（図６、図７参照）、接続部材５とジョイント部６とを接続して構成する。接続部材５は側面に孔部５１を穿設する。孔部５１を形成することによって、接続部材５とジョイント部６とが接続する長さを調整することができるとともに、接続部材５とジョイント部６とを接続した後、それぞれが回転しないように制限することができる。
【００２２】
接続部材５は中空空間５２を有し、一端が開口面であって、他端には該開口面より直径が狭い小孔部５３を穿設する。また、一端の開口面から、軸方向に貫通孔を形成した絶縁体９１を挿入し、かつピン７を絶縁体９１の貫通孔に挿入する。
【００２３】
ピン７は一端を作用端とし、該作用端が接続部材５の小孔部５３から接続部材５の外部に延伸し、他端が絶縁体９２に当接するように設ける。絶縁体９２は、ジョイント部６内に設ける。即ち、ジョイント部６は内部に中空空間が形成され、接続部材５側の一端を開口面とし、一方の該開口面に対向する端面に取付け孔６１を形成する。取付け孔６１の内壁には螺刻し、外周面に螺刻した位置決め部材を取付け孔６１に螺着する。絶縁体９２はジョイント部６の開口面から内部に挿入され、一面が位置決め部材６２に当接し、他方の面にピン７の一端が当接する。
【００２４】
また、接続部材５には、ピン７の作用端が突出する側にジョイント８を連結する。
【００２５】
さらに、接続部材５は、小孔部５３の開口端において、内壁に面取りを行って勾配５４を形成する。勾配５４を形成することによって、接続部材５の小孔部５３を形成した部分の内部空間が広くなり、この空間内にさらに多くの空気が存在し、この空気によって情報を送受信する場合の絶縁効果が得られる。また、勾配５４を形成することによって、第１部材４と第２部材９とを接続した場合、仮に両部材のピンの外径が異なっていても、インピーダンスの誤差を均一化することができる。
【００２６】
第２部材の接続部材５にジョイント８を連結する場合は、図７、７Ａ、７Ｂ、７Ｃに開示するように、接続部材５に形成した環状溝５５にＣリング５６を嵌着する。Ｃリング５６は作用端となる上下端が一方に湾曲して反るように形成される。このため、接続部材５にジョイント８を連結する場合、Ｃリング５６が環状溝５５の中心に向かって圧縮され、内方向への分力が発生する。したがってＣリング５６がジョイント８に形成した位置決め溝８１に容易にガイドされる（図７Ｂ参照）。但し、Ｃリング５６を環状溝５５の外周方向に押して離れさせようとする外部からの力を受けて外方向の押し上げる分力が発生すると、ジョイント８の位置決め溝８１がＣリング５６の離脱を効率よく阻止する。よって、外部からの力によって引っ張られて緩み、外れるような状況を効率よく防ぐことができる。
【００２７】
接続部材５に連結し、かつ９０°に回転させることのできるジョイント部６は、接続端６３と、方向転換端６４とを一体に形成してもよい（図６参照）。この場合、ジョイント部６の加工が容易になる。
【００２８】
接続部材５の中空空間５２に挿入し、かつピン７が貫通する絶縁体９１は、ジョイント部６側の一端に切り欠き部９３１を形成した半円形状のパッド９３を当接させ、かつパッド９３の切り欠き部９３１をピン７の一端に接触させるか、もしくは絶縁体９２とパッド９３を一体に形成して、同様に切り欠き部９３１をピン７の一端に接触させる。パッド９３を設けることによって、ピン７の接触箇所（即ち、アンテナ線、同軸ケーブルなどが接続部材５の孔部５１を通過して接触する箇所）に発生するインピーダンスの誤差を均一化する作用を有する。パッド９３の切り欠き部９３１は、接続するアンテナ線、同軸ケーブルの太さによって大きさを調整する。
【００２９】
図９に開示するように、本考案による高周波コネクタ３０は第１部材４と、第２部材９とを連結して構成する。一端が第２部材９から突出したピン７は、第１部材４に埋設したピン３と部分的に接触する。また、第１部材４と、第２部材９とが接触する位置には隙間９４が形成され、ピン７とピン３とを介して直線的に接触する場合、接触したり途切れたりしてノイズが発生することを効率よく防ぐことができる。
【００３０】
第１部材４と、第２部材９とを連結して構成した高周波コネクタは、図１０に開示するように基板上に設けて情報の伝送に供する。第１部材４の接続部材１に設けたピン１３は、予め設定した方向に沿って基板４０上に穎位置決めする。以上の構成によって、本考案による高周波コネクタ３０は、図１０に矢印で示すように、必要に応じて第２部材９のジョイント部６の方向を転換することができ、実際の使用状況に対して柔軟に対応することができる。
【００３１】
本考案による高周波コネクタは、上述するように第１部材と、第２部材とを連結して構成してなり、使用上次に掲げる長所を具える。
１．第１部材を構成する接続部材は側面に切り欠き部形成することによって接続部材とジョイント部材とが連結する長さを調整して長くすることができる。また、ジョイント部の回転を制限するとともに、必要に応じてジョイント部を１８０°（即ち単一方向）、或いは９０°に連結することができ、使用状況に対して選択的に対応することができる。
２．第２部材を構成する第１部材は、小孔部の開口端において、内壁に面取りを行って勾配を形成することによって、接続部材の小孔部を形成した部分の内部空間が広くなり、この空間内にさらに多くの空気が存在し、この空気によって情報を送受信する場合の絶縁効果が得られる。また、勾配を形成することによって、第１部材と第２部材とを接続した場合、仮に両部材のピンの外径が異なっていても、インピーダンスの誤差を均一化することができる。
３．第２部材の接続部材にジョイントを連結する場合、接続部材に形成した環状溝にＣリングを嵌着する。Ｃリングは上下端が一方に湾曲して反るように形成される。このため、ジョイントの位置決め溝がＣリングの離脱を効率よく阻止し、外部からの力によって引っ張られて緩み、外れるような状況を効率よく防ぐことができる。
４、高周波コネクタを構成する第２部材から一端が突出したピンは、第１部材４に埋設したピンと部分的に接触する。また、第１部材４と、第２部材９とが接触する位置には隙間が形成され、それぞれのピン７を介して直線的に接触する場合、接触したり途切れたりしてノイズが発生することを効率よく防ぐことができる。
５．第２部材の接続部材に連結し、かつ９０°に回転させることのできるジョイント部は、接続端と、方向転換端とを一体に形成することによって加工が容易になる。
６．第２部材の接続部材の中空空間に挿入し、かつピンが貫通する絶縁体は、ジョイント部側の一端に切り欠き部を形成した半円形状のパッドを当接させ、かつパッドの切り欠き部をピンの一端に接触させるか、もしくは絶縁体とパッドを一体に形成して、同様に切り欠き部をピン７の一端に接触させる。このようにパッドを設けることによって、ピンの接触箇所（即ち、アンテナ線、同軸ケーブルなどが接続部材の孔部を通過して接触する箇所）に発生するインピーダンスの誤差を均一化する作用を有する。パッドの切り欠き部は、接続するアンテナ線、同軸ケーブルの太さによって大きさを調整する。
７．第１部材と第２部材とを連結して構成する本考案の高周波コネクタは、必要に応じて第２部材のジョイント部の方向を転換することができ、実際の使用状況に対して柔軟に対応することができる。
【図面の簡単な説明】
【００３２】
【図１】従来の高周波コネクタを構成する第１部材の分解図である。
【図２】従来の高周波コネクタを構成する第２部材の分解図である。
【図３】従来の高周波コネクタの連結構造を示した説明図である。
【図３Ａ】従来の高周波コネクタの連結構造を示した局部断面説明図である。
【図４】本考案による高周波コネクタを構成する第１部材の分解図である。
【図５】図４に開示する第１部材を組み立てた状態における断面図である。
【図６】本考案における第２部材の分解図である。
【図７】図６に開示する第２部材を組み立てた状態における断面図である。
【図７Ａ】本考案における第２部材とＣリングとの連結関係を示した説明図である。
【図７Ｂ】本考案における第２部材とＣリングとの連結関係を示した他の説明図である。
【図７Ｃ】本考案における第２部材とＣリングとの連結関係を示したその他説明図である。
【図８】本考案に置ける第１部材と第２部材を示した斜視図である。
【図９】図８に開示する第１部材を組と第２部材とを組み立てた状態における断面図である。
【図１０】本考案による高周波コネクタの使用態様を示した説明図である。
【符号の説明】
【００３３】
１                    接続部材
１１                  貫通孔
１２                  切り欠き部
２                    ジョイント部
２１                  水平部
３                    Ｌ字状ピン
３０                  高周波コネクタ
４                    第１部材                    
４１                  絶縁体              
４１１                貫通孔
５                    接続部材
５１                  孔部
５３                  小孔部              
５４                  勾配
５５                  環状溝
５６                  Ｃリング
６                    ジョイント部
６１                  取り付け孔
６２                  位置決め部材
６３                  接続端
６４                  方向転換端
７                    ピン
８                    ジョイント
８１                  位置決め溝
９                    第２部材
９１                  絶縁体
９２                  絶縁体
９３                  パッド
９３１                切り欠き部
【図１】
0003137095.tif 000003
【図２】
0003137095.tif 000004
【図３】
0003137095.tif 000005
【図３Ａ】
0003137095.tif 000006
【図４】
0003137095.tif 000007
【図５】
0003137095.tif 000008
【図６】
0003137095.tif 000009
【図７】
0003137095.tif 000010
【図７Ａ】
0003137095.tif 000011
【図７Ｂ】
0003137095.tif 000012
【図７Ｃ】
0003137095.tif 000013
【図８】
0003137095.tif 000014
【図９】
0003137095.tif 000015
【図１０】
0003137095.tif 000016
【手続補正書】
【提出日】平成19年9月7日(2007.9.7)
【手続補正１】
【補正対象書類名】実用新案登録請求の範囲
【補正対象項目名】請求項１
【補正方法】変更
【補正の内容】
【請求項１】
第１部材と、第２部材とを連結してなる高周波コネクタであって、
該第１部材は、貫通孔を形成し、且つ該貫通孔に絶縁体を挿した接続部材の一端にジョイント部を連結し、該ジョイント部内に絶縁体を挿入してなり、
該第１部材の側面に切り欠き部を形成し、かつＬ字状ピンを挿入し、該絶縁体によって該Ｌ字状ピンを位置決めし、
該位置決めした絶縁体によって、該Ｌ字状ピンのインピーダンスの誤差を均一化し、かつ緊密に接続する長さを増加し、該ジョイント部と該接続部材が回転することを防ぐように構成することを特徴とする高周波コネクタ。